【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
メールの送受信機能を有する通信装置であって、  前記通信装置は、分割して送受信された分割メールおよび／または利用者が関連するメールをメールグループとして関連付けを登録するグループ設定部と、利用者が指定したメール処理を利用者が選択したメールに対して行うメール処理制御部と、を備え、  前記メール処理制御部は、グループ登録されたメールの１つを選択してメール処理が指定された場合、同一のメールグループに登録されたメールを一括して指定されたメール処理を実行することを特徴とする送受信メールのグループ処理機能を有する通信装置。
【請求項２】
前記メール処理制御部は、グループ登録されたメールの１つが選択され、メール削除処理が指定され場合、同一のメールグループに登録されたメールを一括して削除することを特徴とする請求項１に記載の送受信メールのグループ処理機能を有する通信装置。
【請求項３】
前記メール処理制御部は、グループ登録されたメールの１つが選択され、メール転送処理が指定され場合、同一のメールグループに登録されたメールを一括して指定の宛先に転送することを特徴とする請求項１に記載の送受信メールのグループ処理機能を有する通信装置。
【請求項４】
前記メール処理部は、メール送信処理が指定された場合、利用者が作成したメールのデータ量を算出し、前記算出したデータ量が規定のデータ量を超えた場合には、当該作成メールを分割して指定された宛先に送信し、当該送信メールを保存する際、グループ設定部に当該分割メールのグループ設定を行わせることを特徴とする請求項１に記載の送受信メールのグループ処理機能を有する通信装置。
【請求項５】
前記通信装置は更に、メール表示制御部を備え、該メール表示制御部は、グループ登録された分割メールの１つが選択され、メール表示処理が指定され場合、同一のメールグループに登録された分割メールを結合して表示部に表示することを特徴とする請求項１または請求項４に記載の送受信メールのグループ処理機能を有する通信装置。
【手続補正２】
【補正対象書類名】明細書
【補正対象項目名】発明の名称
【補正方法】変更
【補正の内容】
【発明の名称】送受信メールのグループ処理機能を有する通信装置
【手続補正３】
【補正対象書類名】明細書
【補正対象項目名】０００１
【補正方法】変更
【補正の内容】
【０００１】  本発明は、通信装置におけるメール送受信機能に関するものであり、特に、文字数制限により分割して送受信されたメールや互いに関連するメールをメールグループとして関連付けしておき、関連付けられたメールグループの１つのメールが選択され、所望のメール操作が行われた際に、同じメールグループに属する複数のメールを一括して処理するようにした送受信メールのグループ処理機能を有する通信装置に関するものである。
【手続補正４】
【補正対象書類名】明細書
【補正対象項目名】００１６
【補正方法】変更
【補正の内容】
【００１６】  すなわち、本発明は上記の問題点を解消することを課題とし、関連する複数のメールを一括して所望の処理を行うことができる送受信メールのグループ処理機能を有する通信装置を提供することを目的とするものである。
【手続補正５】
【補正対象書類名】明細書
【補正対象項目名】００１７
【補正方法】変更
【補正の内容】
【００１７】  前記課題を解決するために、本願の請求項１にかかる発明は、メールの送受信機能を有する通信装置であって、前記通信装置は、分割して送受信された分割メールおよび／または利用者が関連するメールをメールグループとして関連付けを登録するグループ設定部と、利用者が指定したメール処理を利用者が選択したメールに対して行うメール処理制御部と、を備え、前記メール処理制御部は、グループ登録されたメールの１つを選択してメール処理が指定された場合、同一のメールグループに登録されたメールを一括して指定されたメール処理を実行することを特徴とする。
【手続補正６】
【補正対象書類名】明細書
【補正対象項目名】００１８
【補正方法】変更
【補正の内容】
【００１８】  本願の請求項２にかかる発明は、請求項１にかかる通信装置において、前記メール処理制御部は、グループ登録されたメールの１つが選択され、メール削除処理が指定され場合、同一のメールグループに登録されたメールを一括して削除することを特徴とする。
【手続補正７】
【補正対象書類名】明細書
【補正対象項目名】００１９
【補正方法】変更
【補正の内容】
【００１９】  本願の請求項３にかかる発明は、請求項１にかかる通信装置において、前記メール処理制御部は、グループ登録されたメールの１つが選択され、メール転送処理が指定され場合、同一のメールグループに登録されたメールを一括して指定の宛先に転送することを特徴とする。
【手続補正８】
【補正対象書類名】明細書
【補正対象項目名】００２０
【補正方法】変更
【補正の内容】
【００２０】  また、本願の請求項４にかかる発明は、請求項１にかかる通信装置において、  前記メール処理部は、メール送信処理が指定された場合、利用者が作成したメールのデータ量を算出し、前記算出したデータ量が規定のデータ量を超えた場合には、当該作成メールを分割して指定された宛先に送信し、当該送信メールを保存する際、グループ設定部に当該分割メールのグループ設定を行わせることを特徴とする。
【手続補正９】
【補正対象書類名】明細書
【補正対象項目名】００２１
【補正方法】変更
【補正の内容】
【００２１】  本願の請求項５にかかる発明は、請求項１または請求項４にかかる通信装置において、前記通信装置は更に、メール表示制御部を備え、該メール表示制御部は、グループ登録された分割メールの１つが選択され、メール表示処理が指定され場合、同一のメールグループに登録された分割メールを結合して表示部に表示することを特徴とする。
【手続補正１０】
【補正対象書類名】明細書
【補正対象項目名】００２２
【補正方法】変更
【補正の内容】
【００２２】  請求項１にかかる発明においては、通信装置は、分割して送受信された分割メールおよび／または利用者が関連するメールをメールグループとして関連付けを登録するグループ設定部と、利用者が指定したメール処理を利用者が選択したメールに対して行うメール処理制御部と、を備え、メール処理制御部は、グループ登録されたメールの１つを選択してメール処理が指定された場合、同一のメールグループに登録されたメールを一括して指定されたメール処理を実行する。
【手続補正１１】
【補正対象書類名】明細書
【補正対象項目名】００２４
【補正方法】変更
【補正の内容】
【００２４】  請求項２にかかる発明においては、請求項１にかかる通信装置において、メール処理制御部は、グループ登録されたメールの１つが選択され、メール削除処理が指定され場合、同一のメールグループに登録されたメールを一括して削除する。このような構成によれば、利用者が特定のメールの削除処理を行った場合、当該メールに関連付けられた複数のメールがグループ登録されていれば、関連するメールを一括して削除することができるようになる。
【手続補正１２】
【補正対象書類名】明細書
【補正対象項目名】００２５
【補正方法】変更
【補正の内容】
【００２５】  請求項３にかかる発明においては、請求項１にかかる通信装置において、メール処理制御部は、グループ登録されたメールの１つが選択され、メール転送処理が指定され場合、同一のメールグループに登録されたメールを一括して指定の宛先に転送する。このような構成によれば、利用者が特定のメールの転送処理を行った場合、当該メールに関連付けられた複数のメールがグループ登録されていれば、関連するメールを一括して転送することができるようになる。
【手続補正１３】
【補正対象書類名】明細書
【補正対象項目名】００２６
【補正方法】変更
【補正の内容】
【００２６】  請求項４にかかる発明においては、請求項１にかかる通信装置において、メール処理部は、メール送信処理が指定された場合、利用者が作成したメールのデータ量を算出し、前記算出したデータ量が規定のデータ量を超えた場合には、当該作成メールを分割して指定された宛先に送信し、当該送信メールを保存する際、グループ設定部に当該分割メールのグループ設定を行わせる。このような構成によれば、利用者がメール送信する場合、規定のデータ量を超えてメールを作成しても、分割メールとして送信され、また、送信された分割メールが同一のメールグループに登録される。従って、送信した分割メールを一括して処理することができるようになる。
【手続補正１４】
【補正対象書類名】明細書
【補正対象項目名】００２７
【補正方法】変更
【補正の内容】
【００２７】  請求項５にかかる発明においては、請求項１または請求項４にかかる通信装置において、通信装置は更に、メール表示制御部を備え、該メール表示制御部は、グループ登録された分割メールの１つが選択され、メール表示処理が指定され場合、同一のメールグループに登録された分割メールを結合して表示部に表示する。このように構成すれば、利用者が分割メールを表示する場合、複数のメールが結合されて表示されるため、１つのメールとして読むことができるようになる。